(57)【要約】      （修正有）【課題】操作性を向上させたタッチペンを提供する。【解決手段】タッチペン１は、タッチパネル画面２においてタッチ操作するためのタッチペン１であって、指で持つことができる本体１０と、導電性の繊維１１を本体１０の表面に、立設するように複数植毛されたものであり、導電性の繊維１１は、直径が１μ〜１００μ、長さが０．５ｍｍ〜４ｍｍであり、本体１１の表面は、本体１０の先端部から本体１０の指で持つ側面部に至る部位である。【選択図】図４
0003177457.tif 000002
【実用新案登録請求の範囲】
【請求項１】
タッチパネル画面においてタッチ操作するためのタッチペンであって、
指で持つことができる本体と、
導電性の繊維を前記本体の表面に、立設するように複数植毛されたものであり、
前記導電性の繊維は、直径が１μ〜１００μ、長さが０．５mm〜４mmであり、
前記本体の表面は、前記タッチパネル画面においてタッチ操作する前記本体の先端部から前記本体の指で持つ側面部に至る部位である
ことを特徴とするタッチペン。
【請求項２】
本体は、長手方向に長い棒状部材であって、前記本体の略全体に亘って導電性の繊維で植毛されている
ことを特徴とする請求項１記載のタッチペン。
【請求項３】
本体は、マスコットの形状を呈したものであって、前記本体の略全体に亘って導電性の繊維で植毛されている
ことを特徴とする請求項１記載のタッチペン。
【請求項４】
タッチパネル画面においてタッチ操作するためのタッチペンであって、
指で持つことができる導電性の本体と、
この本体の先端に導電性の繊維が立設するように複数植毛されたものであり、
前記導電性の繊維は、直径が１μ〜１００μ、長さが０．５mm〜４mmである
ことを特徴とするタッチペン。
【考案の詳細な説明】
【技術分野】
【０００１】
本考案は、タッチペンに係り、特に、操作性を向上させたタッチペンに関する。
【背景技術】
【０００２】
従来、タッチパネル画面においてタッチ操作するためのタッチペンとして、例えば、本体の先端部に炭素を混入した略半球形状のペン先部材を設けたものがある（例えば、特許文献参照）。
【先行技術文献】
【特許文献】
【０００３】
実用新案登録第３１７２７３６号公報  図２
【考案の概要】
【考案が解決しようとする課題】
【０００４】
ところが、上記タッチペンにあっては、タッチパネル画面との接触面積をかせぐために、ペン先部材がタッチパネル画面に接触すると、ペン先部材がぺたっと広がってしまい、操作性が良好でないという問題点があった。
【０００５】
本考案は、上記の問題点を除去するようにしたタッチペンを提供することを目的とする。
【課題を解決するための手段】
【０００６】
請求項１記載のタッチペンは、タッチパネル画面においてタッチ操作するためのタッチペンであって、指で持つことができる本体と、導電性の繊維を前記本体の表面に、立設するように複数植毛されたものであり、前記導電性の繊維は、直径が１μ〜１００μ、長さが０．５mm〜４mmであり、前記本体の表面は、前記タッチパネル画面においてタッチ操作する前記本体の先端部から前記本体の指で持つ側面部に至る部位である。
【０００７】
また、請求項２記載のタッチペンは、請求項１記載のタッチペンにおいて、本体は、長手方向に長い棒状部材であって、前記本体の略全体に亘って導電性の繊維で植毛されているものである。
【０００８】
また、請求項３記載のタッチペンは、請求項１記載のタッチペンにおいて、本体は、マスコットの形状を呈したものであって、前記本体の略全体に亘って導電性の繊維で植毛されているものである。
【０００９】
また、請求項４記載のタッチペンは、タッチパネル画面においてタッチ操作するためのタッチペンであって、指で持つことができる導電性の本体と、この本体の先端に導電性の繊維が立設するように複数植毛されたものであり、前記導電性の繊維は、直径が１μ〜１００μ、長さが０．５mm〜４mmである。
【考案の効果】
【００１０】
請求項１記載のタッチペンによれば、導電性の繊維を指で持つことができる本体の表面に、立設するように植毛されたものであり、導電性の繊維は、直径が１μ〜１００μ、長さが０．５mm〜４mmであり、前記本体の表面は、前記タッチパネル画面においてタッチ操作する前記本体の先端部から前記本体の指で持つ側面部に至る部位であるため、特に、直径が１μ〜１００μ、長さが０．５mm〜４mmの導電性の繊維で形成されているため、従来のようにぺたっと広がらないと共に、摺動性が良好で、操作性を向上させることができる。
【００１１】
また、請求項２記載のタッチペンによれば、上述した請求項１記載の考案の効果に加え、本体は、長手方向に長い棒状部材であって、前記本体の略全体に亘って導電性の繊維で植毛されているため、本体を鉛筆を持つように握って操作することができ、しかも、タッチペンをタッチパネル画面に落としても、タッチパネル画面の損傷を防ぐことができ、更に、握り具合の質を高めて、一体感のあるデザインをも可能とすることができる。
【００１２】
また、請求項３記載のタッチペンによれば、上述した請求項１記載の考案の効果に加え、本体は、マスコットの形状を呈したものであって、前記本体の略全体に亘って導電性の繊維で植毛されているため、タッチペンをタッチパネル画面に落としても、タッチパネル画面の損傷を防ぐことができ、しかも、握り具合の質を高めて、一体感のあるデザインをも可能とすることができる。
【００１３】
また、請求項４記載のタッチペンによれば、指で持つことができる導電性の本体の先端に導電性の繊維が立設するように複数植毛されたものであり、前記導電性の繊維は、直径が１μ〜１００μ、長さが０．５mm〜４mmであるため、従来のようにぺたっと広がらないと共に、摺動性が良好で、操作性を向上させることができる。
【図面の簡単な説明】
【００１４】
【図１】図１は、本考案の一実施例のタッチペンの使用状態の概略的斜視図である。
【図２】図２は、図１のタッチペンの概略的正面図である。
【図３】図３は、図１のタッチペンの先端部がタッチパネル画面に接触する前の状態の概略的図である。
【図４】図４は、図３のタッチペンの先端部がタッチパネル画面に接触した状態の概略的図である。
【図５】図５は、図１のタッチペンと異なる他の実施例のタッチペンの概略的図である。
【図６】図６は、図５のタッチペンと異なる他の実施例のタッチペンの概略的正面図である。
【考案を実施するための形態】
【００１５】
本考案の一実施例のタッチペンを図面を参照して説明する。
図１に示す１はタッチペンで、タッチペン１は鉛筆を持つように握って、スマートフォン、ｉＰａｄ（Ａｐｐｌｅ社によって開発及び販売されているタブレット型コンピュータの商標）等のタッチパネル画面２においてタッチ操作して、条件設定、文字入力等をするためのものである。
タッチペン１は、図２乃至図４に示すように、指で持つことができる本体１０と、この本体１０の表面に、立設するように複数植毛された導電性の繊維１１とを有するものである。
【００１６】
導電性の繊維１１が植毛されている部位は、本体１０の先端部から本体１０の指で持つ側面部に至る部位であり、本体１０が長手方向に長い棒状部材である場合、望ましくは、図２に示すように、本体１０の略全体に亘って導電性の繊維１１で植毛されているのが良い。
本体１０の略全体に亘って導電性の繊維１１で植毛されていると、本体１０を鉛筆を持つように握って操作することができ、しかも、タッチペン１をタッチパネル画面２に落としても、タッチパネル画面２の損傷を防ぐことができ、更に、握り具合の質を高めて、一体感のあるデザインをも可能とすることができる。
なお、導電性の繊維は、短繊維で、直径が１μ〜１００μ、長さが０．５mm〜４mmであり、導電性樹脂、導電処理をした綿等を使用する。
植毛は、例えば、図示しないが、空間的に一定の距離をあけて電気的に絶縁して対向させた２枚の電極間に電圧を印加することによって一様の電界が生じる現象を利用する公知の静電植毛によって行うものである。
電極間に印加するＶ電圧、電極間の距離ｄとすれば、発生する電界の強さＥはＶ／ｄで、この電界内に電荷ｑを帯電した導電性の繊維を配した場合、この導電性の繊維１１に力Ｆ（Ｆ＝Ｅｑ）が作用し、帯電した電荷とは反対の極性をもつ電極方向に引き寄せられ、あらかじめ硬化前の接着剤を塗布した本体１０をその電極近傍に配置しておくことにより、導電性の繊維１１が本体１０の接着剤面に投錨して立設する。
【００１７】
なお、本体１０を長手方向に長い棒状部材としたが、本願考案はこれに限らず、本体は、図５に示すように、マスコットの形状（例えば、図５記載の象）を呈したものでも良く、本体１０の略全体に亘って導電性の繊維１１で植毛するようにしても良い。
このように、本体１０は、マスコットの形状を呈したものであって、本体１０の略全体に亘って導電性の繊維１１で植毛されていると、タッチペン１をタッチパネル画面１に落としても、タッチパネル画面２の損傷を防ぐことができ、しかも、握り具合の質を高めて、一体感のあるデザインをも可能とすることができる。
【００１８】
なお、上述した実施例では、導電性の繊維１１が植毛されている部位を本体１０の先端部から本体１０の指で持つ側面部に至る部位としたが、本願考案は、これに限らず、例えば、図６に示すように、指で持つことができる導導電性の本体１０’と、この本体１０’の先端に導電性の繊維１１が立設するように複数植毛したもので構成するようにしても良い。
また、本体１０’は、図２記載の本体１０と同様、指で持つことができる太さと長さを有している。
【符号の説明】
【００１９】
１      タッチペン
２      タッチパネル画面
１０    本体
１１    導電性の繊維
【図１】
0003177457.tif 000003
【図２】
0003177457.tif 000004
【図３】
0003177457.tif 000005
【図４】
0003177457.tif 000006
【図５】
0003177457.tif 000007
【図６】
0003177457.tif 000008